(57)【要約】【課題】コンテンツの実行フォーマットに対応していない場合であっても、少ないハードウェアリソースかつ低コストでコンテンツの実行が可能な携帯通信装置を提供する。【解決手段】コンテンツのデータを処理するＣＰＵ３０３と、ＣＰＵ３０３がコンテンツデータを実行可能なプログラムの情報に関するプログラム情報を格納するＦｌｕｓｈメモリ３０８と、コンテンツデータの要求およびプログラム情報を、コンテンツデータおよび実行可能なプログラムを含むコンテンツ処理情報を提供する外部サーバへ送信し、外部サーバからコンテンツ処理情報を受信するＲＦ部３０７とを有し、ＣＰＵ３０３は、実行可能なプログラムに基づいて、コンテンツデータを処理する。【選択図】図１
2008139977.tif 000002
【特許請求の範囲】
【請求項１】
コンテンツのデータを処理するコンテンツ処理部と、
前記コンテンツ処理部が前記コンテンツデータを実行可能なプログラムの情報に関するプログラム情報を格納するプログラム情報格納部と、
前記コンテンツデータの要求および前記プログラム情報を、前記コンテンツデータおよび前記実行可能なプログラムを含むコンテンツ処理情報を提供する外部サーバへ送信する送信部と、
前記外部サーバから前記コンテンツ処理情報を受信する受信部とを有し、
前記コンテンツ処理部は、前記実行可能なプログラムに基づいて、前記コンテンツデータを処理する携帯通信装置。
【請求項２】
請求項１に記載の携帯通信装置であって、
音声信号、画像信号および文字信号の少なくとも１つを含む入力信号を入力する信号入力部と、
前記入力信号の信号処理を行う信号処理部とを有し、
前記送信部は、前記信号処理部によって信号処理された処理データを前記コンテンツデータとして前記外部サーバへ送信する携帯通信装置。
【請求項３】
請求項２に記載の携帯通信装置であって、
前記送信部は、前記外部サーバへ前記処理データの転送要求を行い、
前記受信部は、前記処理データを含む前記コンテンツ処理情報を受信し、
前記コンテンツ処理部は、前記実行可能なプログラムに基づいて、前記処理データを処理し、処理結果を所定の出力形式によって出力する携帯通信装置。
【請求項４】
コンテンツのデータ処理に必要なコンテンツ情報を提供するコンテンツサーバであって、
前記コンテンツデータ、前記コンテンツデータを実行可能なプログラムへ変換するプログラム変換情報、および前記コンテンツの実行を行うコンテンツ実行プログラムを含む前記コンテンツ情報を格納するコンテンツ情報格納部と、
前記コンテンツの要求および前記実行可能なプログラムの情報に関するプログラム情報を含むコンテンツ要求情報を受信するコンテンツ要求受信部と、
前記実行可能なプログラムと前記コンテンツ実行プログラムとが一致するか否かを判定するプログラム判定部と、
前記判定部による判定の結果、一致しない場合には、前記コンテンツ情報を送信するコンテンツ情報送信部と
を有するコンテンツサーバ。
【請求項５】
コンテンツのデータ処理に必要なプログラムを変換するデータ変換サーバであって、
前記コンテンツデータ、前記コンテンツデータを実行可能なプログラムへ変換するプログラム変換情報、および前記コンテンツの実行を行うコンテンツ実行プログラムを含むコンテンツ情報を受信するコンテンツ情報受信部と、
前記プログラム変換情報に基づいて、前記コンテンツ実行プログラムを前記実行可能なプログラムへ変換するデータ変換処理部と、
前記コンテンツデータおよび前記実行可能なプログラムを含むコンテンツ処理情報を送信する送信部と
を有するデータ変換サーバ。
【請求項６】
コンテンツのデータ処理を行うクライアント端末、前記コンテンツのデータ処理に必要なコンテンツ情報を提供するコンテンツサーバ、および前記コンテンツのデータ処理に必要なプログラムを変換するデータ変換サーバを有するネットワークシステムであって、
前記クライアント端末は、
前記コンテンツのデータ処理を行うコンテンツ処理部と、
前記コンテンツ処理部が前記コンテンツデータを実行可能なプログラムの情報に関するプログラム情報を格納するプログラム情報格納部と、
前記コンテンツデータの要求および前記プログラム情報を含むコンテンツ要求情報を前記コンテンツサーバへ送信するコンテンツ要求情報送信部とを有し、
前記コンテンツサーバは、
前記コンテンツデータ、前記実行可能なプログラムへ変換するプログラム変換情報、および前記コンテンツの実行を行うコンテンツ実行プログラムを含む前記コンテンツ情報を格納するコンテンツ情報格納部と、
前記実行可能なプログラムと前記コンテンツ実行プログラムとが一致するか否かを判定するプログラム判定部と、
前記判定部による判定の結果、一致しない場合には、前記コンテンツ情報を前記データ変換サーバへ送信するコンテンツ情報送信部とを有し、
前記データ変換サーバは、
前記プログラム変換情報に基づいて、前記コンテンツ実行プログラムを前記実行可能なプログラムへ変換するデータ変換処理部と、
前記コンテンツデータおよび前記実行可能なプログラムを前記クライアント端末へ送信する送信部とを有し、
前記クライアント端末の前記コンテンツ処理部は、前記実行可能なプログラムに基づいて、前記コンテンツデータを処理するネットワークシステム。
【請求項７】
請求項６に記載のネットワークシステムであって、
前記クライアント端末を複数有し、
前記データ変換サーバを複数有し、
前記クライアント端末と前記クライアント端末の最も近くに所在する前記データ変換サーバとが通信を行い、前記データ変換サーバ間では、データとして圧縮データを用いて通信を行うネットワークシステム。
【請求項８】
携帯通信装置がコンテンツのデータ処理を行うデータ処理方法であって、
前記携帯通信装置において、
前記コンテンツのデータ処理を行うコンテンツ処理ステップと、
前記コンテンツデータの要求および前記コンテンツのデータ処理に使用される前記コンテンツデータを実行可能なプログラムの情報に関するプログラム情報を、前記コンテンツデータおよび前記実行可能なプログラムを含むコンテンツ処理情報を提供する外部サーバへ送信するステップと、
前記外部サーバから前記コンテンツ処理情報を受信するステップと有し、
前記コンテンツ処理ステップにおいては、前記実行可能なプログラムに基づいて、前記コンテンツデータを処理するデータ処理方法。
【請求項９】
コンテンツサーバがコンテンツのデータ処理に必要なコンテンツ情報を提供するコンテンツ提供方法であって、
前記コンテンツサーバにおいて、
前記コンテンツデータ、前記コンテンツデータを実行可能なプログラムへ変換するプログラム変換情報、および前記コンテンツの実行を行うコンテンツ実行プログラムを含む前記コンテンツ情報を保持するステップと、
前記コンテンツの要求および前記実行可能なプログラムの情報に関するプログラム情報を含むコンテンツ要求情報を受信するステップと、
前記実行可能なプログラムと前記コンテンツ実行プログラムとが一致するか否かを判定する判定ステップと、
前記判定ステップにおける判定の結果、一致しない場合には、前記コンテンツ情報を送信するステップと
を有するコンテンツ提供方法。
【請求項１０】
データ変換サーバがコンテンツのデータ処理に必要なプログラムを変換するデータ変換方法であって、
前記コンテンツデータ、前記コンテンツデータを実行可能なプログラムへ変換するプログラム変換情報、および前記コンテンツの実行を行うコンテンツ実行プログラムを含むコンテンツ情報を受信するステップと、
前記プログラム変換情報に基づいて、前記コンテンツ実行プログラムを前記実行可能なプログラムへ変換するステップと、
前記コンテンツデータおよび前記実行可能なプログラムを含むコンテンツ処理情報を送信するステップと
を有するデータ変換方法。
【発明の詳細な説明】
【技術分野】
【０００１】
本発明は携帯通信装置、コンテンツサーバ、データ変換サーバ、ネットワークシステム、データ処理方法、コンテンツ提供方法、およびデータ変換方法に関する。
【背景技術】
【０００２】
従来、ネットワーク上からダウンロードした静止画、動画、音楽およびゲームなどを携帯端末にて再生実行する場合、携帯端末上でのデコード処理が必要であった。コンテンツのファイルフォーマットは多岐に渡るため、携帯端末上でその全てのフォーマットに対応するためには高機能かつ大規模なハードウェアリソースが必要となっており、コスト高を招いていた。
【０００３】
以下、その構成について図１１、図１２を参照しながら説明する。図１１に示すようにクライアント端末１１１２からコンテンツデータ格納部１１１３に格納されたコンテンツをダウンロードする場合、コンテンツプロバイダに対してコンテンツの送信要求を行いインターネット網を介してダウンロードしクライアント端末１１１２の内部メモリに一旦格納する。再生するためのクライアント端末１１１２の一般的な内部構成を図１２に示す通りである。
【０００４】
クライアント端末１１１２は、主にコーデック処理を行うためのＤＳＰ（Ｄｉｇｉｔａｌ  Ｓｉｇｎａｌ  Ｐｒｏｃｅｓｓｏｒ）１２１４、ＤＳＰ処理で処理能力として不足するソフト処理をハードアクセラレートする為のアクセラレータＣｏｄｅｃ１２１２および１２１３、各種処理を行うＣＰＵ１２１７、キーボード、ボタン、スイッチなどのユーザインターフェース部１２１６、ＬＣＤへの描画処理を行う描画処理ハードウェア１２１５、ＲＦ（無線通信部）１２１９の行う無線通信に関する処理を行う無線通信ベースバンド処理ハードウェア１２１８、無線通信を行うＲＦ部１２１９、ブートプログラムなどを格納するＦｌｕｓｈメモリ１２２０、画像やプログラムなどを格納するＲＡＭ１２２１から構成される。
【０００５】
コンテンツデータ格納部１１１３に格納されたコンテンツデータをＲＡＭ１２２１へ格納した後、ＤＳＰ１２１４は、コンテンツ１１１３のコーデックフォーマットに従いアクセラレータＣｏｄｅｃ１２１２、１２１３を起動して、デコード処理を行い視聴可能となる。この際、アクセラレータＣｏｄｅｃ１２１２、１２１３で対応していないフォーマットについては、クライアント端末１１１２で利用することはできない。
【０００６】
そこで、コンテンツを蓄積したコンテンツサーバ、ファイル変換を行うトランス・コード・サーバならびにクライアント端末を有したコンテンツ視聴システムとその方法が開示されている（例えば、特許文献１参照）。このコンテンツ視聴システムにおいては、クライアント端末が所定のデコーダのみ搭載または搭載するデコーダの種類が少ない場合でもネットワーク上の様々なコンテンツを楽しむことができる。
【特許文献１】特開２００４−１０２３３９号公報
【発明の開示】
【発明が解決しようとする課題】
【０００７】
しかしながら、ネットワーク上からダウンロードした静止画、動画、音楽およびゲームなどをクライアント端末にてデコードし再生実行する場合、コンテンツのファイルフォーマットは多岐に渡る為、当該クライアント端末では対応しておらず、再生、視聴などが行えないことがあるという事情があった。さらに、ネットワーク上の多くのファイルフォーマットに対応したり、高品質なダウンロードファイルを再生視聴するためにはクライアント端末上での多くのハードウェアリソース、処理性能が必要でありコスト高になっていたという事情があった。
【０００８】
本発明はかかる事情に鑑みてなされたものであり、コンテンツの実行フォーマットに対応していない場合であっても、少ないハードウェアリソースかつ低コストでコンテンツの実行が可能な携帯通信装置、コンテンツサーバ、データ変換サーバ、ネットワークシステム、データ変換方法、コンテンツ提供方法およびデータ変換方法を提供することを目的とする。
【課題を解決するための手段】
【０００９】
上記目的を達成するために、本発明の第１の携帯通信装置は、コンテンツのデータを処理するコンテンツ処理部と、前記コンテンツ処理部が前記コンテンツデータを実行可能なプログラムの情報に関するプログラム情報を格納するプログラム情報格納部と、前記コンテンツデータの要求および前記プログラム情報を、前記コンテンツデータおよび前記実行可能なプログラムを含むコンテンツ処理情報を提供する外部サーバへ送信する送信部と、前記外部サーバから前記コンテンツ処理情報を受信する受信部とを有し、前記コンテンツ処理部は、前記実行可能なプログラムに基づいて、前記コンテンツデータを処理する構成としている。
【００１０】
この構成によれば、コンテンツの実行フォーマットに対応していない場合であっても、少ないハードウェアリソースかつ低コストでコンテンツの実行が可能であり、様々なファイルフォーマットを低いシステムコストで、最適な品質で視聴・再生可能となる。また、携帯通信装置等のクライアント端末は種々のフォーマットに対応したアクセラレータを搭載する必要がなくなり、コストダウンを図ることができる。
【００１１】
また、本発明の第２の携帯通信装置は、音声信号、画像信号および文字信号の少なくとも１つを含む入力信号を入力する信号入力部と、前記入力信号の信号処理を行う信号処理部とを有し、前記送信部が、前記信号処理部によって信号処理された処理データを前記コンテンツデータとして前記外部サーバへ送信する構成としている。
【００１２】
この構成により、自端末により入力したデータを外部のサーバで保管することが可能となり、端末のコストダウンを図ることができる。
【００１３】
また、本発明の第３の携帯通信装置は、前記送信部が、前記外部サーバへ前記処理データの転送要求を行い、前記受信部は、前記処理データを含む前記コンテンツ処理情報を受信し、前記コンテンツ処理部は、前記実行可能なプログラムに基づいて、前記処理データを処理し、処理結果を所定の出力形式によって出力する構成としている。
【００１４】
この構成によれば、外部サーバに保管しているデータを転送要求により呼び出し、自端末において出力処理を行うことができるため、端末のコストダウンを図ることができる。
【００１５】
また、本発明の第１のコンテンツサーバは、コンテンツのデータ処理に必要なコンテンツ情報を提供するコンテンツサーバであって、前記コンテンツデータ、前記コンテンツデータを実行可能なプログラムへ変換するプログラム変換情報、および前記コンテンツの実行を行うコンテンツ実行プログラムを含む前記コンテンツ情報を格納するコンテンツ情報格納部と、前記コンテンツの要求および前記実行可能なプログラムの情報に関するプログラム情報を含むコンテンツ要求情報を受信するコンテンツ要求受信部と、前記実行可能なプログラムと前記コンテンツ実行プログラムとが一致するか否かを判定するプログラム判定部と、前記判定部による判定の結果、一致しない場合には、前記コンテンツ情報を送信するコンテンツ情報送信部とを有する構成としている。
【００１６】
この構成によれば、コンテンツの実行を行う端末がコンテンツの実行形式に対応していない場合であっても、端末がそのコンテンツの実行に必要なプログラムを作成するプログラム変換情報を提供することが可能となる。
【００１７】
また、本発明の第１のデータ変換サーバは、コンテンツのデータ処理に必要なプログラムを変換するデータ変換サーバであって、前記コンテンツデータ、前記コンテンツデータを実行可能なプログラムへ変換するプログラム変換情報、および前記コンテンツの実行を行うコンテンツ実行プログラムを含むコンテンツ情報を受信するコンテンツ情報受信部と、
前記プログラム変換情報に基づいて、前記コンテンツ実行プログラムを前記実行可能なプログラムへ変換するデータ変換処理部と、前記コンテンツデータおよび前記実行可能なプログラムを含むコンテンツ処理情報を送信する送信部とを有する構成としている。
【００１８】
この構成によれば、コンテンツの実行を行う端末がコンテンツの実行形式に対応していない場合であっても、端末がそのコンテンツの実行に必要なプログラムを作成することが可能となる。また、端末に合わせたデータ変換プログラムを送信可能となる。
【００１９】
また、本発明の第１のネットワークシステムは、コンテンツのデータ処理を行うクライアント端末、前記コンテンツのデータ処理に必要なコンテンツ情報を提供するコンテンツサーバ、および前記コンテンツのデータ処理に必要なプログラムを変換するデータ変換サーバを有するネットワークシステムであって、前記クライアント端末は、前記コンテンツのデータ処理を行うコンテンツ処理部と、前記コンテンツ処理部が前記コンテンツデータを実行可能なプログラムの情報に関するプログラム情報を格納するプログラム情報格納部と、前記コンテンツデータの要求および前記プログラム情報を含むコンテンツ要求情報を前記コンテンツサーバへ送信するコンテンツ要求情報送信部とを有し、前記コンテンツサーバは、前記コンテンツデータ、前記実行可能なプログラムへ変換するプログラム変換情報、および前記コンテンツの実行を行うコンテンツ実行プログラムを含む前記コンテンツ情報を格納するコンテンツ情報格納部と、前記実行可能なプログラムと前記コンテンツ実行プログラムとが一致するか否かを判定するプログラム判定部と、前記判定部による判定の結果、一致しない場合には、前記コンテンツ情報を前記データ変換サーバへ送信するコンテンツ情報送信部とを有し、前記データ変換サーバは、前記プログラム変換情報に基づいて、前記コンテンツ実行プログラムを前記実行可能なプログラムへ変換するデータ変換処理部と、前記コンテンツデータおよび前記実行可能なプログラムを前記クライアント端末へ送信する送信部とを有し、前記クライアント端末の前記コンテンツ処理部は、前記実行可能なプログラムに基づいて、前記コンテンツデータを処理する構成としている。
【００２０】
この構成によれば、コンテンツの実行フォーマットに対応していない場合であっても、少ないハードウェアリソースかつ低コストでコンテンツの実行が可能であり、様々なファイルフォーマットを低いシステムコストで、最適な品質で視聴・再生可能となる。また、携帯通信装置等のクライアント端末は種々のフォーマットに対応したアクセラレータを搭載する必要がなくなり、コストダウンを図ることができる。また、コンテンツを実行するためのプログラムを受信できるため、コンテンツファイル実行用のプログラムを実装する必要がない。
【００２１】
また、本発明の第２のネットワークシステムは、前記クライアント端末を複数有し、前記データ変換サーバを複数有し、前記クライアント端末と前記クライアント端末の最も近くに所在する前記データ変換サーバとが通信を行い、前記データ変換サーバ間では、データとして圧縮データを用いて通信を行う構成としている。
【００２２】
この構成により、例えばクライアント端末およびデータ転送サーバ間においてのみ高速な通信網を利用し、データ転送サーバ間のような長距離の通信には圧縮後のデータを使用した通信を行うことで、比較的低速な、若しくは、既存の通信網を利用することによって、システム全体のコストダウンが可能となる。また、クライアント端末に種々のフォーマットに対応したアクセラレータを搭載する必要はなく、クライアント端末のコストダウンが可能となる。
【００２３】
また、本発明の第１のデータ処理方法は、携帯通信装置がコンテンツのデータ処理を行うデータ処理方法であって、前記携帯通信装置において、前記コンテンツのデータ処理を行うコンテンツ処理ステップと、前記コンテンツデータの要求および前記コンテンツのデータ処理に使用される前記コンテンツデータを実行可能なプログラムの情報に関するプログラム情報を、前記コンテンツデータおよび前記実行可能なプログラムを含むコンテンツ処理情報を提供する外部サーバへ送信するステップと、前記外部サーバから前記コンテンツ処理情報を受信するステップと有し、前記コンテンツ処理ステップにおいては、前記実行可能なプログラムに基づいて、前記コンテンツデータを処理する方法としている。
【００２４】
この方法によれば、コンテンツの実行フォーマットに対応していない場合であっても、少ないハードウェアリソースかつ低コストでコンテンツの実行が可能であり、様々なファイルフォーマットを低いシステムコストで、最適な品質で視聴・再生可能となる。また、携帯通信装置等のクライアント端末は種々のフォーマットに対応したアクセラレータを搭載する必要がなくなり、コストダウンを図ることができる。
【００２５】
また、本発明の第１のコンテンツ提供方法は、コンテンツサーバがコンテンツのデータ処理に必要なコンテンツ情報を提供するコンテンツ提供方法であって、前記コンテンツサーバにおいて、前記コンテンツデータ、前記コンテンツデータを実行可能なプログラムへ変換するプログラム変換情報、および前記コンテンツの実行を行うコンテンツ実行プログラムを含む前記コンテンツ情報を保持するステップと、前記コンテンツの要求および前記実行可能なプログラムの情報に関するプログラム情報を含むコンテンツ要求情報を受信するステップと、前記実行可能なプログラムと前記コンテンツ実行プログラムとが一致するか否かを判定する判定ステップと、前記判定ステップにおける判定の結果、一致しない場合には、前記コンテンツ情報を送信するステップとを有する方法としている。
【００２６】
この方法によれば、コンテンツの実行を行う端末がコンテンツの実行形式に対応していない場合であっても、端末がそのコンテンツの実行に必要なプログラムを作成するプログラム変換情報を提供することが可能となる。
【００２７】
また、本発明の第１のデータ変換方法は、データ変換サーバがコンテンツのデータ処理に必要なプログラムを変換するデータ変換方法であって、前記コンテンツデータ、前記コンテンツデータを実行可能なプログラムへ変換するプログラム変換情報、および前記コンテンツの実行を行うコンテンツ実行プログラムを含むコンテンツ情報を受信するステップと、前記プログラム変換情報に基づいて、前記コンテンツ実行プログラムを前記実行可能なプログラムへ変換するステップと、前記コンテンツデータおよび前記実行可能なプログラムを含むコンテンツ処理情報を送信するステップとを有する方法としている。
【００２８】
この方法によれば、コンテンツの実行を行う端末がコンテンツの実行形式に対応していない場合であっても、端末がそのコンテンツの実行に必要なプログラムを作成することが可能となる。また、端末に合わせたデータ変換プログラムを送信可能となる。
【発明の効果】
【００２９】
本発明によれば、コンテンツの実行フォーマットに対応していない場合であっても、少ないハードウェアリソースかつ低コストでコンテンツの実行が可能である。
【発明を実施するための最良の形態】
【００３０】
以下、本発明の実施の形態について図面を参照して詳細に説明する。
【００３１】
図１は本発明の実施の形態に係るネットワークシステム１００の構成を示すものである。本発明の実施の形態に係るネットワークシステム１００は、ファイルの変換、転送を行う変換転送サーバ１１０、コンテンツの蓄積、提供を行うコンテンツサーバ１１１、画像音声データ、プログラムなどのコンテンツデータを格納するコンテンツ格納部１１２〜１１３を有して構成されるコンテンツプロバイダ１００Ａと、ファイルの変換、転送を行う変換転送サーバ１１４を有して構成されるホームネットワーク１００Ｂと、コンテンツを利用するクライアント端末１１５とがインターネット網などのネットワーク１１６に接続されて構成されている。
【００３２】
クライアント端末１１５からのダウンロード要求を受けたコンテンツサーバ１１１は、要求されたコンテンツをクライアント端末１１５で利用可能なフォーマットに変換を行うため、コンテンツをコンテンツ格納部１１２〜１１３から変換転送サーバ１１０へ転送する。変換転送サーバ１１０がフォーマット変換を行った後、コンテンツはクライアント端末１１５によってダウンロードされる。
【００３３】
また、クライアント端末１１５で記録した動画・音声を蓄積するためにコンテンツサーバ１１１へデータをアップロードする場合は、クライアント端末１１５が変換転送サーバ１１０へデータを送信し、変換転送サーバ１１０がファイルフォーマット変換後、コンテンツサーバ１１１はその変換データを蓄積する。この際、アップロードデータのファイルサイズが膨大な場合は、ホームネットワーク１００Ｂ内の変換転送サーバ１１４がファイルフォーマット変換した後に、変換転送サーバ１１４がネットワーク１１６を経由してアップロードを行っても構わない。
【００３４】
図２は図１で示したネットワークシステム１００の構成ブロック図の一例を示すものである。本発明の実施の形態に係るネットワークシステム１００は、クライアント端末３００と、コンテンツサーバ３２０と、変換転送サーバ３３０とがネットワーク３４０を介して接続されて構成される。ここで、クライアント端末３００はクライアント端末１１５の一例であり、コンテンツサーバ３２０はコンテンツサーバ１１１の一例であり、変換転送サーバ３３０は、変換転送サーバ１１０および変換転送サーバ１１４の一例である。
【００３５】
クライアント端末３００は、主にコーデック処理を行うためのＤＳＰ３０１、ＤＳＰ処理で処理能力として不足するソフト処理をハードアクセラレートする為のアクセラレータＣｏｄｅｃ３０２、全体制御を行うＣＰＵ３０３、キーボード、ボタン、スイッチなどのユーザインターフェース部３０４、ＬＣＤへの描画処理を行い、ハードウェアなどによって構成される描画処理部３０５、ＲＦ（無線通信部）３０７の行う無線通信に関する処理を行い、ハードウェアなどによって構成される無線通信ベースバンド処理部３０６、ネットワーク３４０に接続するために無線通信を行うＲＦ部３０７、ブートプログラム、クライアント端末３００の情報などを格納するＦｌｕｓｈメモリ３０８、画像やプログラムなどを格納するＲＡＭ３０９、符号３０１〜３０９の各部位を接続するバス３１０を有して構成される。尚、本実施の形態において、ＤＳＰ３０１が非常に高性能な場合は、アクセラレータ３０２は搭載していなくてもよい。
【００３６】
尚、クライアント端末３００は「携帯通信装置」の一例である。また、Ｆｌｕｓｈメモリ３０８は「プログラム情報格納部」としての機能を有する。また、ＲＦ部３０７は「送信部」および「受信部」としての機能を有する。また、ＣＰＵ３０３は「コンテンツ処理部」としての機能を有する。
【００３７】
コンテンツサーバ３２０は、ネットワーク３４０との接続を制御する通信インターフェース（Ｉ／Ｆ）部３１１、クライアント情報などを格納するＲＡＭ３１２、各種制御を行うＣＰＵ３１３、クライアントの情報解析を行うクライアント情報解析部３１４、画像、音楽、プログラムなどのコンテンツデータを格納するコンテンツ格納部３１５、符号３１１〜３１５の各部位を接続するバス３１６を有して構成される。
【００３８】
尚、コンテンツデータ格納部３１５は「コンテンツ情報格納部」の一例である。また、クライアント情報解析部３１４は「プログラム判定部」の一例である。また、通信Ｉ／Ｆ部３１１は「コンテンツ要求受信部」および「コンテンツ情報送信部」としての機能を有する。
【００３９】
変換転送サーバ３３０は、ネットワーク３４０との接続を制御する通信インターフェース（Ｉ／Ｆ）部３２１、コンテンツサーバ３２０からの指示に関する指示情報を格納するＲＡＭ３２２、各種処理を行うＣＰＵ３２３、コンテンツ変換、実行プログラム変換を行うファイル変換部３２４、変換前後のコンテンツデータ、実行プログラムなどを保持しＲＡＭなどで構成されるコンテンツデータ保持部３２５、符号３２１〜３２５の各部位を接続するバス３２６を有して構成される。
【００４０】
尚、変換転送サーバ３３０は「データ変換サーバ」の一例である。また、ファイル変換部３２４は「データ変換処理部」の一例である。また、通信Ｉ／Ｆ部３２１は「コンテンツ情報受信部」および「送信部」としての機能を有する。
【００４１】
まず、ユーザがクライアント端末３００を使用して、ネットワーク３４０上のコンテンツサーバ３２０に格納されたコンテンツを視聴する場合について説明する。尚、アクセラレータＣｏｄｅｃ３０２が搭載されている場合と搭載されていない場合とで処理が異なる。
【００４２】
まず、クライアント端末３００の外部にあるキーボードやボタンスイッチの押下をユーザインターフェース部３０４が認識することによって入力を行う。ＣＰＵ３０３は、Ｆｌｕｓｈメモリ３０８に格納されたクライアント端末３００の情報（アクセラレータＣｏｄｅｃ３０２が搭載されている場合は、どの種類のコーデック用アクセラレータを搭載しているかの情報を格納、アクセラレータＣｏｄｅｃ３０２が非搭載の場合は、実行可能なプログラムの情報を格納）とコンテンツ要求とをバス３１０、無線通信ベースバンド処理３０６、ＲＦ部３０７を介してネットワーク３４０に接続されているコンテンツサーバ３２０へ送信する。
【００４３】
クライアント端末３００の情報およびコンテンツ要求は、通信Ｉ／Ｆ部３１１によってバス３１６を介してＲＡＭ３１２に送信されてＲＡＭ３１２に格納される。通信Ｉ／Ｆ部３１１は、コンテンツ要求があったことをＣＰＵ３１３へ通知する。
【００４４】
アクセラレータＣｏｄｅｃ３０２が搭載されている場合、ＣＰＵ３１３は、クライアント情報解析部３１４を起動する。そしてクライアント情報解析部３１４は、ＲＡＭ３１２にアクセスし、クライアント情報からクライアント端末３００が対応しているコーデックフォーマット情報を取得し、また要求コンテンツ情報を元にコンテンツデータ格納部３１５へアクセスし、要求コンテンツのコーデックフォーマットとクライアント端末３００のコーデックフォーマット情報を比較する。
【００４５】
比較結果として、コーデックフォーマットが異なる場合には、通信Ｉ／Ｆ部３１１は、コーデックフォーマット変換情報および要求コンテンツをネットワーク３４０を介して変換転送サーバ３３０へ送信する。なお、比較結果が同じ場合は、コーデックフォーマット変換情報としては無変換情報を送信する。
【００４６】
アクセラレータＣｏｄｅｃ３０２が非搭載の場合、ＣＰＵ３１３は、クライアント情報解析部３１４を起動する。そしてクライアント情報解析部３１４は、ＲＡＭ３１２にアクセスし、クライアント情報からクライアント端末３００で実行可能なプログラムフォーマットを取得し、またコンテンツデータ格納部３１５にあるコンテンツファイル閲覧に対応した実行プログラムフォーマット情報と比較する。
【００４７】
比較結果として、実行プログラムフォーマットが異なる場合には、通信Ｉ／Ｆ部３１１は、実行プログラムフォーマット変換情報と、変換前の実行プログラム、要求コンテンツをネットワーク３４０を介して変換転送サーバ３３０へ送信する。
【００４８】
アクセラレータＣｏｄｅｃ３０２が搭載されている場合、コーデックフォーマット変換情報は、通信Ｉ／Ｆ部３２１によってバス３２６を介してＲＡＭ３２２へ送られ、ＲＡＭ３２２によって格納される。また要求コンテンツデータは、コンテンツデータ格納部３２５によって格納される。通信Ｉ／Ｆ部３２１は、ＣＰＵ３２３へ要求があったことを通知する。
【００４９】
ＣＰＵ３２３は、ファイル変換部３２４を起動し、ファイル変換部３２４は、ＲＡＭ３２２からコーデックフォーマット変換情報を取得する。ファイル変換部３２４は、ＲＡＭ３２２より取得したコーデックフォーマット変換情報に従い、コンテンツデータ格納部３２５より変換前のコンテンツデータを読み取り、コーデックフォーマット変換を行いコンテンツデータ格納部３２５へ書き戻す。要求コンテンツの一部もしくは全部の変換が終了した時点で、通信Ｉ／Ｆ３２１は、ネットワーク３４０を介してクライアント端末３００へコーデックフォーマット変換後のコンテンツデータを送信する。
【００５０】
アクセラレータＣｏｄｅｃ３０２が非搭載の場合、実行プログラムフォーマット変換情報は、通信Ｉ／Ｆ部３２１によってバス３２６を介してＲＡＭ３２２に送られ、ＲＡＭ３２２によって格納される。また、変換前実行プログラムと要求コンテンツデータは、コンテンツデータ格納部３２５によって格納される。通信Ｉ／Ｆ部３２１はＣＰＵ３２３へ要求があったことを通知する。
【００５１】
ＣＰＵ３２３は、ファイル変換部３２４を起動し、ファイル変換部３２４はＲＡＭ３２２から実行プログラムフォーマット変換情報を取得する。ファイル変換部３２４は、ＲＡＭ３２２より取得した実行プログラムフォーマット変換情報に従い、コンテンツデータ格納部３２５より変換前の実行プログラムを読み取り、実行プログラムフォーマット変換を行いコンテンツデータ格納部３２５へ書き戻す。実行プログラムの一部もしくは全部の変換が終了した時点で、通信Ｉ／Ｆ３２１は、ネットワーク３４０を介してクライアント端末３００へ実行プログラムを送信し、次いで要求コンテンツを送信する。
【００５２】
アクセラレータＣｏｄｅｃ３０２が搭載されている場合、コーデックフォーマット変換後のコンテンツデータは、ＲＦ部３０７によって無線通信ベースバンド処理部３０６、バス３１０を介してＲＡＭ３０９へ送られ、ＲＡＭ３０９によって格納される。無線通信ベースバンド処理部３０６は、ＤＳＰ３０１へ処理要求を発行する。
【００５３】
ＤＳＰ３０１は、ＲＡＭ３０９よりコンテンツデータを読み取り、アクセラレータＣｏｄｅｃ３０２を使用してデコード処理を行い、ＲＡＭ３０９へ書き戻す。ＣＰＵ３０３は、デコードされたデータを処理する描画処理部３０５を使用してＬＣＤへ出力する。なお、コンテンツデータが音声・音楽データの場合は、図示していない音声・音楽処理部を介して、外部のスピーカもしくはヘッドホンへ出力される。
【００５４】
アクセラレータＣｏｄｅｃ３０２が非搭載の場合、変換後の実行プログラムと要求コンテンツは、ＲＦ部３０７によって無線通信ベースバンド処理部３０６、バス３１０を介してＲＡＭ３０９へ送られ、ＲＡＭ３０９によって格納される。無線通信ベースバンド処理部３０６は、ＤＳＰ３０１へ処理要求を発行する。
【００５５】
ＤＳＰ３０１は、ＲＡＭ３０９より実行プログラムをロードし、次いでコンテンツデータを読み取り実行プログラムに従ったデコード処理を行い、ＲＡＭ３０９へ書き戻す。ＣＰＵ３０３は、デコードされたデータを描画処理部３０５を使用してＬＣＤへ出力する。なお、コンテンツデータが音声・音楽データの場合は、図示していない音声・音楽処理部を介して、外部のスピーカもしくはヘッドホンへ出力される。
【００５６】
図３は、本発明の第１の実施形態におけるアクセラレータＣｏｄｅｃ３０２が搭載される場合のネットワークシステム１００におけるデータの流れを示す図である。
【００５７】
クライアント端末３００は、ネットワーク３４０を介してコンテンツサーバ３２０へコンテンツファイルのダウンロード要求およびクライアント端末３００の情報を送信する（ステップＳ３１）。
【００５８】
コンテンツサーバ３２０は、クライアント端末３００より受信したダウンロード要求とクライアント端末３００の情報より、クライアント端末３００へ送信すべきコンテンツファイルのファーマットがクライアント端末３００にて再生可能かどうかを判断する。
【００５９】
その結果、再生不可であるならば、コンテンツとその変換指示を変換転送サーバ３３０へ送信する（ステップＳ３２）。変換転送サーバ３３０は、受信したコンテンツファイルを変換指示に応じてフォーマット変換を行う。コンテンツの変換終了後、変換転送サーバ３３０はクライアント端末３００へ変換後のコンテンツを送信する（ステップＳ３３）。これにより、クライアント端末３００はコンテンツの再生処理が可能となる。
【００６０】
また、図４は、本発明の第１の実施形態におけるアクセラレータＣｏｄｅｃ３０２が非搭載の場合のネットワークシステム１００におけるデータの流れを示す図である。
【００６１】
クライアント端末３００は、ネットワーク３４０を介してコンテンツサーバ３２０へコンテンツファイルのダウンロード要求およびクライアント端末３００の情報を送信する（ステップＳ４１）。
【００６２】
コンテンツサーバ３２０は、クライアント端末３００より受信したダウンロード要求とクライアント端末３００の情報より、クライアント端末３００へ送信すべきコンテンツ実行プログラムの判断を行い、コンテンツ実行プログラムを変換転送サーバ３３０へ送信し（ステップＳ４２）、要求されたコンテンツを変換転送サーバ３３０へ送信する（ステップＳ４３）。
【００６３】
変換転送サーバ３３０は、受信したコンテンツ実行プログラム指示に応じた実行プログラムをクライアント端末３００へ送信する（ステップＳ４４）。これにより、再生準備が完了する。次いで、コンテンツファイルをクライアント端末３００側へ送信する（ステップＳ４５）。これにより、クライアント端末３００はコンテンツの再生処理が可能となる。
【００６４】
上記により、クライアント端末３００側で種々のコーデックフォーマットに対応する必要がなくなり、回路規模を縮小してクライアント端末３００の小型化を図ることができ、コストダウンを可能とする。
【００６５】
（第２の実施形態）
図５は、本発明の第２の実施形態におけるネットワークシステム５００Ａの一例を示す構成図である。
本発明の第２の実施形態におけるネットワークシステム５００Ａは、プロバイダ５００と、コンテンツサーバ５１０とファイル変換サーバ５２０とクライアント端末５３０とが接続されて構成されている。プロバイダ５００は、例えばカメラつき携帯電話５０１や放送サービス５０２といった種々の情報を提供するものを示す。コンテンツサーバ５１０は、ネットワークコンピュータ５１１と画像音声データなどを記録する記録装置５１２とを有して構成される。
【００６６】
プロバイダ５００が提供する情報は、ネットワークコンピュータ５１１を介して記録装置５１２に蓄積される。記録装置５１２に蓄積される画像音声データなどの情報には特に制限はなく、プロバイダ５００が提供するフォーマットに従って蓄積すればよい。
【００６７】
記録装置５１２に蓄積された情報をクライアント端末５３０で閲覧する場合、クライアント端末５３０は自身の再生できるフォーマットをファイル変換サーバ５２０に伝える。ファイル変換サーバ５２０は、コンテンツサーバ５１０より情報を取得し、クライアント端末５３０が再生可能なフォーマットに変換し、変換したデータをクライアント端末５３０に送信する。クライアント端末５３０は送信されたデータを再生する。尚、クライアントに送信されるデータには、コンテンツサーバより取得した情報を処理するためにクライアント端末５３０で実行可能なプログラムが含まれる。
【００６８】
上記により、プロバイダ５００が持つ情報には制限がなく、また、クライアント端末５３０に専用のアクセラレータを持つ必要がなくなるため、システム全体のコストを削減することが可能である。
【００６９】
図６は、図５に示すネットワークシステム５００Ａに接続されるモバイル端末の一例を示す構成図である。モバイル端末６００は、データの転送を要求する転送要求部６０１と、データの転送処理を行うデータ転送部６０２と、シャッター、ボタン、スイッチなどのユーザインターフェース部６０３と、被写体を撮像するカメラ６０４と、カメラ６０４が撮像した画像に対して処理を行うカメラ部信号処理部６０５と、音声などを集音するマイク６０６と、マイク６０６によって集音された音声などに対して処理を行う音声信号処理部６０７とを有して構成される。尚、モバイル端末６００は、クライアント端末５３０の一例である。
【００７０】
尚、カメラ６０４およびマイク６０６は「信号入力部」の一例である。また、カメラ部信号処理部６０５および音声処理部６０７は「信号処理部」の一例である。
【００７１】
このモバイル端末６００で静止画を撮影する場合、ユーザインターフェース部６０３がシャッターの押下を認識した後、直ちに転送要求部６０１は転送要求を発行する。同時にカメラ６０４で捕らえたイメージをカメラ部信号処理部６０５がデジタル信号処理を行う。カメラ部信号処理部６０５が処理した結果をデータ転送部６０２が送信する。データ転送部６０２は、データ転送の完了後、転送要求部６０１の転送要求を取り下げる。
【００７２】
このモバイル端末６００で音声を録音する場合、ユーザインターフェース部６０３が録音スイッチの押下を認識した後、直ちに転送要求部６０１は転送要求を発行する。同時にマイク６０６で捕らえた音声情報を音声信号処理部６０７がデジタル信号処理を行う。音声信号処理部６０７が処理した結果をデータ転送部６０２が送信する。ユーザインターフェース６０３が停止スイッチの押下を認識すると、データ転送部６０２が転送要求部６０１の転送要求を取り下げ、音声信号処理部６０７の処理も停止する。
【００７３】
これにより、モバイル端末６００はデータを蓄積する手段は不要であり、コスト削減が可能である。
【００７４】
図７は、図５に示すネットワークシステム５００Ａに接続されるサーバの一例を示す構成図である。サーバ７００は、データの転送要求を受け付ける要求受付部７０１と、転送データを受信する転送データ受信部７０２と、データを蓄積するデータ蓄積部７０３と、ファイルのデータ変換処理および転送処理を行うファイル変換転送部７０４とを有して構成される。尚、サーバ７００は、ファイル変換サーバ５２０の一例である。
【００７５】
要求受付部７０１は、モバイル端末６００からの転送要求を受け付けた場合、直ちに転送データ受付部７０２に指示を出し、データ受信可能状態にする。転送データ受信部７０２は、モバイル端末６００より転送されるデータを受信し、受信したデータをデータ蓄積部７０３に記録していく。
【００７６】
要求受付部７０１は、モバイル端末６００よりモバイル端末６００への転送要求を受けた場合、モバイル端末６００が要求するフォーマットに変換するようファイル変換転送部７０４に伝える。ファイル変換転送部７０４は、要求受付部７０１からの要求に従い、蓄積データ部７０３からデータを取り出した後にファイル変換を行う。ファイル変換転送部７０４は、変換後のデータをモバイル端末６００に送信する。
【００７７】
これにより、コスト削減が可能なネットワークシステムを実現できる。
【００７８】
（第３の実施形態）
図８は、本発明の第３の実施形態におけるネットワークシステムの一例を示す構成図である。
本発明の第３の実施形態におけるネットワークシステム８００Ａは、クライアント端末８００〜８０３と、ファイル変換転送サーバ８１０〜８１３と、高速ネットワーク（通信）網８２０〜８２３と、低速ネットワーク（通信）網８３０とを有して構成される。クライアント端末８００〜８０３は、たとえばＴＶ電話端末といった種々の機器を示す。
【００７９】
クライアント端末８００とクライアント端末８０１の間でＴＶ電話を行う場合の一例について図８を用いて説明する。クライアント端末８００は近い距離にあるファイル変換転送サーバ８１０と高速通信網８２０を介して接続されている。また、クライアント端末８０１は近い距離にあるファイル変換転送サーバ８１１と高速通信網８２１を介して接続されている。
【００８０】
クライアント端末８００は取得した画像データや音声データを高速通信網８２０を介してファイル変換転送サーバ８１０に転送する。また、クライアント端末８０１もまた、取得した画像データや音声データを高速通信網８２１を介してファイル変換転送サーバ８１１に転送する。
【００８１】
ファイル変換転送サーバ８１０は、クライアント端末８００から転送されたデータを圧縮し、低速ネットワーク網８３０を介してファイル変換転送サーバ８１１に圧縮データの転送を行う。また、ファイル変換サーバ８１１においてもクライアント端末８０１から転送データを圧縮し、低速ネットワーク網８３０を介してファイル変換サーバ８１０に圧縮データの転送を行う。
【００８２】
ファイル変換転送サーバ８１１は、ファイル変換転送サーバ８１０から転送された圧縮データの伸張を行い、クライアント端末８０１に高速通信網８２１を介してデータの送信を行う。クライアント端末８０１は受信したデータの再生を行う。ファイル変換転送サーバ８１０もまた、ファイル変換転送サーバ８１１から転送された圧縮データの伸張を行い、クライアント端末８００に高速通信網８２０を介してデータの送信を行う。クライアント端末９００は受信したデータの再生を行う。
【００８３】
これにより、ＴＶ電話のようなリアルタイム処理を必要とするサービスが実現できる。
【００８４】
図９は、図８に示すネットワークシステム８００Ａに接続されるクライアント端末９００の一例を示す構成図である。クライアント端末９００は、データの転送を要求する転送要求部９０１と、データの転送処理を行うデータ転送部９０２と、データの受信処理を行うデータ受信部９０３と、通話ボタンなどのユーザインターフェース部９０４と、被写体を撮像するカメラ９０５と、カメラ９０５が撮像した画像に対して処理を行うカメラ部信号処理部９０６と、音声などを集音するマイク９０７と、マイク９０７によって集音された音声などに対して処理を行う音声信号処理部９０８と、各種表示の指示を行う表示部９０９と、表示部９０９の指示により各種情報が表示される液晶パネル９１０と、音声などの再生を指示する音声再生部９１１と、音声再生部９１１の指示によって各種情報が再生されるスピーカ９１２で構成される。尚、クライアント端末９００はクライアント端末８００〜８０３の一例であり、「携帯通信端末」の一例である。
【００８５】
このクライアント端末９００でＴＶ電話を行う場合、ユーザインターフェース９０４が通話ボタンの押下を認識した後、直ちに転送要求部９０１は転送要求を発行する。同時にカメラ９０５で捕らえたイメージをカメラ部信号処理部９０６がデジタル信号処理を行う。カメラ部信号処理部９０６が処理した結果をデータ転送部９０２が送信する。また、マイク９０７が捕らえた音声情報を音声信号処理部９０７がデジタル信号処理を行う。音声信号処理部９０８が処理した結果をデータ転送部９０２が送信する。
【００８６】
データ受信部９０３は、ユーザインターフェース部９０４が通話ボタンの押下を認識した後、データ受信を開始する。データ受信部９０３は、受信されたデータのうち、画像データを表示部９０９へ、音声データを音声再生部９１１へ渡す。
【００８７】
表示部９０９は、受信した画像データ、および、カメラ部信号処理部９０６が処理した結果を表示出力できる形式に処理し、液晶パネル９１０に表示を行う。
【００８８】
音声再生部９１１は、受信した音声データ、および、音声信号処理部９０８で処理した結果を音出力できる形式に処理し、スピーカ９１２で音出力を行う。
【００８９】
ユーザインターフェース部９０４は、終話ボタンの押下を認識した後、転送要求部９０１の転送要求を取り下げ、同時にカメラ信号処理部９０６と音声信号処理部９０７と受信部９０３の動作を停止させる。
【００９０】
これにより、クライアント端末９００はデータを蓄積する手段や動画圧縮・伸張用の特別なアクセラレータは不要であり、コスト削減が可能である。
【００９１】
図１０は、図８に示すネットワークシステム８００Ａに接続されるファイル変換転送サーバの一例を示す構成図である。ファイル変換転送サーバ１０００は、データの転送要求を受け付ける要求受付部１００１と、データを受信するデータ受信部１００２と、データを圧縮するデータ圧縮部１００３と、圧縮データを転送する圧縮データ転送部１００４と、圧縮データを受信する圧縮データ受信部１００５と、圧縮データの伸張を行うデータ伸張部１００６と、データを転送するデータ転送部１００７とを有して構成される。尚、ファイル変換転送サーバ１０００はファイル変換転送サーバ８１０〜８１３の一例であり、「データ変換サーバ」の一例である。
【００９２】
要求受付部１００１は、クライアント端末９００より転送要求を受け付けた後、直ちに各部に指示を出し、データ受信可能状態にする。転送データ受信部１００２は、高速通信網１０１０を介してクライアント端末９００より転送されるデータを受信し、受信したデータをデータ圧縮部１００３に送信する。データ圧縮部１００３は、受信データを圧縮し、圧縮データ送信部１００４は圧縮データを低速通信網１０２０に送信する。
【００９３】
圧縮データ受信部１００５は、通信先のクライアント端末９００が接続されているファイル変換転送サーバ１０００から送信される圧縮データを受信し、データ伸張部１００６へ送る。データ伸張部１００６は、受信した圧縮データの伸張を行い、伸張したデータをデータ送信部１００７へ送る。データ送信部１００７は、高速通信網１０１０を介してクライアント端末９００にデータ転送を行う。
【００９４】
これにより、コスト削減が可能なネットワークシステムを実現できる。
【産業上の利用可能性】
【００９５】
本発明は、コンテンツの実行フォーマットに対応していない場合であっても、少ないハードウェアリソースかつ低コストでコンテンツの実行が可能な携帯通信装置、コンテンツサーバ、データ変換サーバ、ネットワークシステム等に有用であり、特にＰＤＡ(Ｐｅｒｓｏｎａｌ Ｄｉｇｉｔａｌ Ａｓｓｉｓｔａｎｔｓ)、携帯電話など持ち運び可能な小型端末を用いたネットワークシステム等に有効である。また、ＴＶ電話や双方向放送サービスにも有用である。
【図面の簡単な説明】
【００９６】
【図１】本発明の第１の実施形態におけるネットワークシステム概略構成図
【図２】本発明の第１の実施形態におけるネットワークシステムの詳細構成図
【図３】本発明の第１の実施形態におけるネットワークシステムのデータフロー図
【図４】本発明の第１の実施形態におけるネットワークシステムのデータフロー図
【図５】本発明の第２の実施形態におけるネットワークシステム構成図
【図６】本発明の第２の実施形態におけるネットワークシステムのモバイル端末構成図
【図７】本発明の第２の実施形態におけるネットワークシステムのサーバ構成図
【図８】本発明の第３の実施携帯におけるネットワークシステム端末構成図
【図９】本発明の第３の実施形態におけるネットワークシステムのクライアント端末構成図
【図１０】本発明の第３の実施形態におけるネットワークシステムのファイル変換転送サーバ構成図
【図１１】従来技術におけるネットワークシステム概略構成図
【図１２】従来技術におけるネットワークシステムにおけるクライアント端末構成図
【符号の説明】
【００９７】
１００  ネットワークシステム
１１０  変換転送サーバ
１１１  コンテンツサーバ
１１２  画像音声データ
１１３  プログラム
１１４  変換転送サーバ
１１５  クライアント端末
３００  クライアント端末
３０１  ＤＳＰ
３０２  アクセラレータＣｏｄｅｃ
３０３  ＣＰＵ
３０４  ユーザインターフェース部
３０５  描画処理部
３０６  無線通信ベースバンド処理部
３０７  ＲＦ部
３０８  Ｆｌｕｓｈメモリ
３０９  ＲＡＭ
３１０  バス
３２０  コンテンツサーバ
３２１  通信Ｉ／Ｆ部
３２２  ＲＡＭ
３２３  ＣＰＵ
３２４  クライアント情報解析部
３２５  コンテンツ
３２６  バス
３３０  変換転送サーバ
３３１  通信Ｉ／Ｆ部
３３２  ＲＡＭ
３３４  ファイル変換部
３３５  ＲＡＭ
３３６  バス
５００Ａ  ネットワークシステム
５００  プロバイダ
５０１  カメラつき携帯電話
５０２  放送サービス
５１０  コンテンツサーバ
５１１  ネットワークコンピュータ
５１２  記録装置
５２０  ファイル変換転送サーバ
５３０  クライアント端末
６００  モバイル端末
６０１  転送要求部
６０２  データ転送部
６０３  ユーザインターフェース部
６０４  カメラ
６０５  カメラ部信号処理部
６０６  マイク
６０７  音声信号処理部
７００  サーバ
７０１  要求受付部
７０２  転送データ受信部
７０３  データ蓄積部
７０４  ファイル変換転送部
８００Ａ  ネットワークシステム
８００〜８０３  クライアント端末
８１０〜８１３  ファイル変換転送サーバ
８２０〜８２３  高速通信網
８３０  低速通信網
９００  クライアント端末
９０１  転送要求部
９０２  データ転送部
９０３  データ受信部
９０４  ユーザインターフェース部
９０５  カメラ
９０６  カメラ部信号処理部
９０７  マイク
９０８  音声信号処理部
９０９  表示部
９１０  液晶パネル
９１１  音声再生部
９１２  スピーカ
１０００  ファイル変換転送サーバ
１００１  要求受付部
１００２  データ受信部
１００３  データ圧縮部
１００４  圧縮データ転送部
１００５  圧縮データ受信部
１００６  データ伸張部
１００７  データ転送部
１０１０  高速通信網
１０２０  低速通信網
１１１０  コンテンツサーバ
１１１２  クライアント端末
１１１３  画像音声データ
１１１４  プログラム
１２１２  アクセラレータＣｏｄｅｃ
１２１３  アクセラレータＣｏｄｅｃ
１２１４  ＤＳＰ
１２１５  描画処理部
１２１６  ＵｓｅｒＩｎｔｅｒｆａｃｅ
１２１７  ＣＰＵ
１２１８  無線通信ベースバンド処理部
１２１９  ＲＦ部
１２２０  Ｆｌｕｓｈメモリ
１２２１  ＲＡＭ
【図１】
2008139977.tif 000003
【図２】
2008139977.tif 000004
【図３】
2008139977.tif 000005
【図４】
2008139977.tif 000006
【図５】
2008139977.tif 000007
【図６】
2008139977.tif 000008
【図７】
2008139977.tif 000009
【図８】
2008139977.tif 000010
【図９】
2008139977.tif 000011
【図１０】
2008139977.tif 000012
【図１１】
2008139977.tif 000013
【図１２】
2008139977.tif 000014